(57)【要約】【課題】自動的に出水位置又は方向を変化させて、シンク内の広い範囲に出水することができるキッチン用水栓及びこのキッチン用水栓を備えたキッチンカウンターを提供する。【解決手段】キッチンカウンター５００において、キッチン用水栓７００の可動水栓７２０に、上水道から水が供給される駆動部７２１と、この駆動部７２１から水が供給され、この水を出水する出水部７２２とを設ける。出水部７２２には、連結管７２３及びノズル７２４を設け、ノズル７２４の側面には出水孔７２５を形成する。駆動部７２１は、供給された水の圧力又は勢いを利用して、出水部７２２を連結管７２３及びノズル７２４の中心軸を回動軸として往復回動運動させるものである。【選択図】図１
2007239230.tif 000002
【特許請求の範囲】
【請求項１】
供給された水を利用して往復運動を生成する駆動部と、
前記駆動部により前記往復運動が付与されると共に、前記駆動部から前記水が供給されてこの水を出水する出水部と、
を備えたことを特徴とするキッチン用水栓。
【請求項２】
前記往復運動は、往復回動運動であることを特徴とする請求項１記載のキッチン用水栓。
【請求項３】
前記出水部は、その側面に出水孔が形成された直管を有し、
前記往復回動運動は、前記直管をその中心軸を回動軸として回動させる運動であることを特徴とする請求項２記載のキッチン用水栓。
【請求項４】
前記出水部は、その一端部に前記水が供給されその他端部から前記水を出水する曲管を有し、
前記往復回動運動は、前記曲管を前記一端部を通る鉛直軸を回動軸として回動させる運動であることを特徴とする請求項２記載のキッチン用水栓。
【請求項５】
前記往復運動は、往復直線運動であることを特徴とする請求項１記載のキッチン用水栓。
【請求項６】
前記駆動部は、
内部に空間を有するハウジングと、  
前記空間を第１及び第２の圧力室に分割しつつ前記空間内を移動可能とされ、内部に中子内流路を有する中子と、  
前記中子内流路に連通し前記ハウジングの外側に至る吐水流路を有する吐水筒体と、  
前記第１の圧力室に水を導入する第１の入水口と、  
前記第２の圧力室に水を導入する第２の入水口と、  
前記第１の圧力室から前記中子内流路に水を導入する第１の導入口と、  
前記第２の圧力室から前記中子内流路に水を導入する第２の導入口と、  
前記第１及び第２の導入口の開度を変化させる弁体と、  
前記中子がその移動域における前記第１の圧力室側の端部に到達したときに、前記第１の圧力室内の圧力を前記第２の圧力室内の圧力よりも高くし、前記中子がその移動域における前記第２の圧力室側の端部に到達したときに、前記第２の圧力室内の圧力を前記第１の圧力室内の圧力よりも高くするように、前記弁体を作動させて前記第１及び第２の導入口の開度を変更する制御手段と、  
を有することを特徴とする請求項１〜５のいずれか１つに記載のキッチン用水栓。
【請求項７】
請求項１〜６のいずれか１つに記載のキッチン用水栓を備えたことを特徴とするキッチンカウンター。
【発明の詳細な説明】
【技術分野】
【０００１】
本発明は、広い範囲に出水することができるキッチン用水栓及びこのキッチン用水栓を備えたキッチンカウンターに関する。
【背景技術】
【０００２】
通常、キッチンカウンターにおいては、シンクの上方に、シンク内に水を出水するキッチン用水栓が設けられている。このようなキッチン用水栓については、多数の食器を一度に洗浄する場合や大きな食器を洗浄する場合などに、出水位置又は方向を変化させることにより、シンク内の広い範囲に対して水を出水できることが好ましい。
【０００３】
そこで、特許文献１には、通常の吐水ヘッドの他に、食器洗浄用の吐水管を設ける技術が提案されている。すなわち、特許文献１に記載の水栓においては、その長手方向に沿って長孔が形成された吐水管が設けられており、水を吐水ヘッドから出水させるか吐水管から出水させるかが切替え可能とされている。また、吐水管は水栓本体に対して回転自在に取り付けられている。特許文献１には、これにより、シンク内の広い範囲に出水することができると記載されている。
【０００４】
【特許文献１】特開２０００−０２７２４８号公報
【発明の開示】
【発明が解決しようとする課題】
【０００５】
しかしながら、特許文献１に記載された従来の水栓においては、以下に示すような問題点がある。すなわち、水をシンク内の広い範囲に出水するためには、使用者が吐水管を手動で回動させ続けなければならず、使用者の手がふさがってしまう。一方、食器を洗浄するためには、通常、使用者は両手で作業することが必要である。従って、使用者が食器を洗浄しながら、水を広い範囲に出水させることができず、不便である。
【０００６】
本発明はかかる課題の認識に基づいてなされたものであり、その目的は、自動的に出水位置又は方向を変化させて、シンク内の広い範囲に出水することができるキッチン用水栓及びこのキッチン用水栓を備えたキッチンカウンターを提供することである。
【課題を解決するための手段】
【０００７】
本発明の一態様によれば、  
供給された水を利用して往復運動を生成する駆動部と、  
前記駆動部により前記往復運動が付与されると共に、前記駆動部から前記水が供給されてこの水を出水する出水部と、  
を備えたことを特徴とするキッチン用水栓が提供される。
【０００８】
本発明の他の一態様によれば、  
前記キッチン用水栓を備えたことを特徴とするキッチンカウンターが提供される。
【発明の効果】
【０００９】
本発明によれば、自動的に出水位置又は方向を変化させて、シンク内の広い範囲に出水することができるキッチン用水栓及びキッチンカウンターを実現することができる。
【発明を実施するための最良の形態】
【００１０】
以下、図面を参照しつつ、本発明の実施形態について説明する。  
先ず、本発明の第１の実施形態について説明する。  
図１は、本実施形態に係るキッチンカウンターを例示する模式的斜視図である。図１は、本実施形態に係るキッチンカウンターが、一般住宅のキッチンルームに設置された例を示している。
【００１１】
図１に示すように、本実施形態においては、キッチンカウンター５００の上面にシンク６００が設けられており、キッチンカウンター５００の上面におけるシンク６００の奥の片側に、張出部６０２が設けられており、張出部６０２の上面にキッチン用水栓７００が設置されている。キッチン用水栓７００においては、通常水栓７１０と、可動水栓７２０と、バルブ７３０とが設けられている。バルブ７３０は、上水道（図示せず）に連通され、上水道から供給された水を通常水栓７１０から出水させるか可動水栓７２０から出水させるかを切替えるものである。
【００１２】
可動水栓７２０には、上水道から水が供給される駆動部７２１と、この駆動部７２１から水が供給され、この水を出水する出水部７２２とが設けられている。  
出水部７２２においては、駆動部７２１に連結され、駆動部７２１が吐水した水が流入される連結管７２３と、この連結管７２３の下流側に連結され、連結管７２３を介して供給された水をシンク６００内に向けて出水するノズル７２４とが設けられている。ノズル７２４は直管からなり、その一端が連結管７２３に連結され、その他端が封止されており、その側面には複数個の出水孔７２５が形成されている。  
駆動部７２１は、供給された水の圧力又は勢いを利用して、出水部７２２を連結管７２３及びノズル７２４の中心軸を回動軸として往復回動運動させる。駆動部７２１の構成については、後で具体例を挙げて詳しく説明する。
【００１３】
なお、キッチン用水栓７００に連通された上水道の上流側には、例えば、ガス式又は電気式の湯沸かし器（図示せず）が設けられており、キッチン用水栓７００には、所望の温度の水が供給される。すなわち、本明細書において、「水」の温度には制約がなく、所謂「冷水」及び「湯」の双方を含むものとする。また、「水」には、水道水の他に、キッチン用の水として用いられる機能水、例えば、浄水や、ｐＨを変化させた水等も含まれる。更に、通常水栓７１０は、例えばレバーを操作することにより、出水させる水の温度及び流量の双方を制御することができる。なお、この通常水栓７１０は設けられていなくてもよい。更にまた、シンク６００の底部には、排水口６０１が設けられており、下水道（図示せず）に連通されている。更にまた、キッチンカウンター５００には、シンク６００及びキッチン用水栓７００の他に、洗剤用ノズル及び浄水用ノズル等が設けられていてもよく、また、これらの水回り設備の他に、作業スペース及び収納庫等が設けられていてもよい。
【００１４】
次に、本実施形態に係るキッチン用水栓の動作について説明する。  
キッチン用水栓７００においては、バルブ７３０を切替えることにより、上水道から可動水栓７２０の駆動部７２１に水が供給される。これにより、駆動部７２１は、この水の圧力又は勢いを利用して、出水部７２２の連結管７２３及びノズル７２４をその中心軸を回動軸として矢印Ｍで示すように回動させると共に、連結管７２３に対して水を吐出する。連結管７２３に吐出された水は、連結管７２３内を流通してノズル７２４内に流入し、出水孔７２５から水Ｗとして出水する。このとき、ノズル７２４は往復回動運動しているため、出水孔７２５からの出水方向は一定の角度範囲内で反復的に変化する。この結果、シンク６００内の広い範囲に対して、水を出水することができる。
【００１５】
次に、本実施形態に係るキッチン用水栓の効果について説明する。  
上述の如く、本実施形態によれば、駆動部７２１が出水部７２２を往復回動運動させつつ、出水部７２２に対して水を供給することにより、出水部７２２は、その出水方向を変化させつつ、水を出水することができる。これにより、シンク６００内の広い範囲に対して出水することができる。また、出水方向の変化は自動的に行われるため、使用者は自由に両手を使うことができる。すなわち、ハンズフリーで広範囲に水を出水させることができる。
【００１６】
これにより、例えば、多量の食器又は大型の食器にまんべんなく水をかけながら、これらの食器を洗浄することができる。この結果、食器の予洗い若しくはすすぎなどの際に流れ作業が可能となる。又は、専用の水切り籠に未洗浄の食器若しくは洗剤の泡が付いた食器を入れ、これに対して出水することにより、大量の食器の予洗い若しくはすすぎを一度に行うことが可能となる。又は、鍋などの大型の食器を洗浄する際に、鍋をほとんど動かすことなく、鍋全体に水をかけることができる。これにより、重い鍋を動かす労力を軽減できる。
【００１７】
また、被洗浄物に対して様々な角度から水をかけることができるため、野菜等を洗浄する際に、野菜の様々な部分に付いた汚れを効率よく落とすことができる。更に、水の出水角度を時間的に変化させているため、ある瞬間にある部分に対して出水される水流は十分に強く、汚れを落とす効果を十分に発揮させることができる。
【００１８】
これに対して、単に広い範囲を濡らすだけであれば、例えば、特許文献１に記載されているような自動的には動かない吐水管を複数本設け、吐水管を動かすことなく水を同時に広範囲に散布する方法、及び、１本の吐水管の下半分に多数の出水孔を設けて水流を分散させる方法も考えられるが、これらの方法では、それぞれの水流が弱くなってしまうため、広い範囲を濡らすことはできるものの、水流による洗浄効果は小さい。
【００１９】
更に、本実施形態によれば、シンク６００の奥側に配置した直管状のノズル７２４を回動させることにより、出水方向を変化させているため、シンク６００内の広い範囲に対して出水が可能であるにもかかわらず、キッチン用水栓７００を小型化し、設置スペースを節約することができる。
【００２０】
更にまた、駆動部７２１は、上水道から供給された水の圧力又は勢いを利用して往復回動運動を生成しているため、電力を使用する必要がない。従って、モータ等を設ける必要がなく漏電対策も不要であるため、コストが低いと共にコンパクトであり、電力コストもかからない。また、往復回動運動の生成に利用した水をそのまま出水しているため、捨て水がなく経済的である。
【００２１】
次に、本実施形態に係るキッチン用水栓７００の駆動部７２１を実現するための具体例について説明する。  
先ず、第１の具体例について説明する。本具体例における駆動部は、水の圧力を利用して往復回動運動を生成する容積型の駆動部である。  
図２は、本具体例の駆動部を例示する斜視図であり、  
図３は、本具体例の駆動部を例示する斜視断面図であり、  
図４（ａ）は、この駆動部を底面側から見た斜視図であり、（ｂ）はその斜視断面図であり、  
図５は、本具体例に係る駆動部を側方から見た断面図であり、  
図６は、図５に示すＡ−Ａ’線による断面図である。  
また、図７は、の具体例に係る駆動部における主弁及びスライドバーを例示する斜視図である。
【００２２】
本具体例に係る駆動部１００は、図１に示す駆動部７２１の具体例である。駆動部１００においては、ハウジング１０２が設けられている。ハウジング１０２は、枠状のハウジング本体１０３の両側に、ハウジング蓋１０４及び１０５がそれぞれ連結されて、内部が中空になるように形成されている。また、ハウジング１０２の一方の側、すなわち、ハウジング蓋１０４が配置されている側からは、ハウジング蓋１０４を貫通して吐水筒体１８０が突出している。吐水筒体１８０は、内部に吐水流路１８２を有する中空構造となっており、その先端は開口しており、図１に示す連結管７２３に連通されている。後述するように、ハウジング１０２に設けられた入水口１１２、１１４に水を導入すると、吐水筒体１８０がその中心軸を回動軸として、矢印Ｍの方向に往復回動運動する。
【００２３】
次に、駆動部１００の内部構造について説明する。  
図３乃至図６に示すように、ハウジング本体１０３及びハウジング蓋１０４、１０５により形成される扇状のハウジング空間に、中子本体１２１と中子蓋１２２とからなる中子（なかご）１２０が吐水筒体１８０を中心軸として回動可能に収容されている。すなわち、中子１２０は、ハウジング１０２内を貫通する吐水筒体１８０に連結され、扇状のハウジング空間内を第１の圧力室１１６と第２の圧力室１１８とに分割して回動する。なお、図６においては、中子１２０から見て第１の圧力室１１６が図示の向かって右側に配置され、第２の圧力室１１８が図示の向かって左側に配置されている。これに基づき、以下、説明の便宜上、中子１２０から見て圧力室１１６側を単に「右側」ともいい、圧力室１１８側を単に「左側」ともいう。
【００２４】
これら圧力室１１６、１１８のそれぞれには、入水口１１２、１１４からそれぞれ水が導入される。中子１２０とハウジング１０２の内壁との摺動部には、液密を維持しつつ摺動を円滑にするためのシール１２７が設けられている。また、吐水筒体１８０とハウジング１０２との摺動部にも、同様の目的でシール１２６が設けられている。これらシール１２７、１２６の材料も、液密を維持しつつ摺動を円滑にするものであり、例えば、テフロン（登録商標）、ＮＢＲ（ニトリルゴム）、ＥＰＤＭ（エチレンプロピレンゴム）やＰＯＭ（ポリアセタール）などを用いることができる。なお、ここでいう「液密」とは、左右の圧力室に圧力差を生じさせるに足る状態を確保できればよい。
【００２５】
次に、中子１２０の構造について説明する。  
中子１２０の中部には、中子内流路１２４が形成されており、この中子内流路１２４は、吐水筒体１８０に設けられた吐水流路１８２に連通している。また、中子１２０には、中子内流路１２４と圧力室１１６、１１８とを連通させる導入口１３２、１３４が設けられている。そして、この中子内流路１２４を横断するように、弁体としての主弁１４２、１４４が設けられている。主弁１４４が中子１２０から離れる方向に移動すると、導入口１３４が開かれ、主弁１４２が中子１２０から離れる方向に移動すると、導入口１３２が開かれる。
【００２６】
図７に示すように、左右の主弁１４２、１４４は連結棒１４９により連結され、中子本体１２１及び中子蓋１２２に設けられた導入口１３２、１３４を貫通して左右に移動可能に設置されている。つまり、主弁１４２、１４４は、中子１２０に対して、所定のストロークで左右に移動可能に設置されている。主弁１４２、１４４にはリブ１４３が形成されており、主弁１４２、１４４が導入口１３２、１３４に対して同軸に移動するように構成されている。主弁１４２、１４４がそれぞれ中子１２０から離れる方向に移動すると、これらリブ１４３の間に設けられている溝部１４５が導入口１３２、１３４の開口部となり、水路を形成する。
【００２７】
また、駆動部１００には、主弁１４２、１４４の動作を制御する制御手段が設けられている。後述するように、制御手段は、スライドバー１４６、１４８及び板ばね１６０により構成されている。制御手段は、中子１２０がその移動域における圧力室１１６側の端部に到達したときに、圧力室１１６内の圧力を圧力室１１８内の圧力よりも高くし、中子１２０がその移動域における圧力室１１８側の端部に到達したときに、圧力室１１８内の圧力を圧力室１１６内の圧力よりも高くするように、主弁１４２及び１４４を作動させて導入口１３２及び１３４の開度を変更するものである。すなわち、圧力室１１６内の圧力と圧力室１１８内の圧力とが等しくなる状態を挟んで、圧力室１１６及び１１８内の圧力の大小関係が逆転するように、導入口１３２及び１３４の開度を変更させるものである。
【００２８】
より具体的には、制御手段は、中子１２０がその移動域における圧力室１１６側の端部に到達したときに、圧力室１１６から中子内流路１２４までの流路抵抗が、圧力室１１８から中子内流路１２４までの流路抵抗よりも大きくなるように、主弁１４２及び１４４を作動させて導入口１３２及び１３４の開度を変更し、中子１２０がその移動域における圧力室１１８側の端部に到達したときに、圧力室１１８から中子内流路１２４までの流路抵抗が、圧力室１１６から中子内流路１２４までの流路抵抗よりも大きくなるように、主弁１４２及び１４４を作動させて導入口１３２及び１３４の開度を変更する。
【００２９】
なお、本明細書において、導入口の「開度」とは、導入口と弁体との間を流れる水の流路抵抗を決定するパラメータであるものとする。例えば、図６に表した状態においては、導入口１３２と主弁１４２との間に形成される流路の流路抵抗は、導入口１３４と主弁１４４との間に形成される流路の流路抵抗よりも高い。この場合、導入口１３２の開度は、導入口１３４の開度よりも小さいものとする。また、中子１２０の移動域とは、駆動部１００を作動させたときに中子１２０が実際に移動する空間をいう。また、移動域の端部とは、中子１２０の移動方向における端部をいう。
【００３０】
次に、制御手段の具体的な構成について説明する。上述の如く、制御手段は、スライドバー１４６、１４８及び板ばね１６０により構成されている。板ばね１６０は、その両端が相互に近づく方向に押圧された状態で中子本体１２１に支持されており、その中央部が右側に凸になるように湾曲した状態及び左側に凸になるように湾曲した状態の２つの状態が安定状態となる。また、スライドバー１４６、１４８は、主弁１４２、１４４を同軸状に貫通し、板ばね１６０を挟んで相互に連結されている。スライドバー１４６、１４８の長さは主弁１４２、１４４の長さよりも長く、このため、スライドバー１４６、１４８は、主弁１４２、１４４の動作ストロークよりも長いストロークで左右に移動可能に設置されている。
【００３１】
導入口１３２、１３４の開度を変化させる主弁１４２、１４４の動作は、スライドバー１４６、１４８により決定される。すなわち、図３及び図５に示すように、左右のスライドバー１４６、１４８は圧縮された板ばね１６０をはさんで連結され、板ばね１６０の湾曲方向に応じて右端あるいは左端に向けた付勢力を受ける。これにより、スライドバー１４６、１４８は、板ばね１６０に付勢されて中子に対して相対的に移動し、このスライドバー１４６、１４８の移動により、主弁１４２、１４４も中子に対して相対的に移動し、導入口１３２、１３４を全開状態あるいは全閉状態のいずれかに択一的に制御する。
【００３２】
以下、本具体例の駆動部の動作について説明する。  
図８（ａ）乃至（ｃ）は、本具体例の駆動部の動作を説明するための模式図である。  
まず、同図（ａ）は、スライドバー１４６、１４８が板ばね１６０（図３参照）の作用により向かって左側に向けて付勢された状態を表す。この時、主弁１４２、１４４もスライドバー１４６により左側に向けて付勢されるので、導入口１３２は閉じ、導入口１３４が開いた状態が形成される。
【００３３】
この状態で入水口１１２、１１４にほぼ同圧に水を供給すると、矢印Ａで表したように入水口１１４から圧力室１１８に導入された水は、矢印Ｃで表したように導入口１３４から中子内流路１２４に流入し、矢印Ｄで表したように吐水流路１８２を介して流出する。これに対して、矢印Ｂで表したように入水口１１２から圧力室１１６に導入された水は、導入口１３２が閉じているために流出経路がない。このため、圧力室１１６の圧力は圧力室１１８の圧力よりも高くなる。つまり、導入口１３２、１３４の開度に差を設けることにより流路抵抗に差が生じ圧力差が生ずる。その結果として、中子１２０は矢印Ｍの方向に押されて回動する。
【００３４】
なお、中子１２０が矢印Ｍの方向に移動すると、圧力室１１６の容積が増大し、その分だけ圧力室１１８の容積が縮小する。このため、矢印Ｂの経路による圧力室１１６への水の流入量の分、圧力室１１８内の水も押し出され、流路１８２から流出する水の吐水量に含まれることとなる。
【００３５】
そしてさらに中子１２０が回動を続け、スライドバー１４８がハウジング１０２の内壁に当接し、中子１２０に対して押されると、板ばね１６０の湾曲方向が反転し、図８（ｂ）に表したように、スライドバー１４６、１４８は、反対側に向けて付勢される。すると、スライドバー１４８が主弁１４４を押すことにより、主弁１４２、１４４も右側（向かって時計回り方向）に移動する。すなわち、導入口１３２が開き、導入口１３４が閉じる。
【００３６】
図８（ｂ）に表した状態においては、矢印Ｂで表したように入水口１１２から圧力室１１６に導入された水は、矢印Ｃで表したように、導入口１３２から中子内流路１２４に流入し、矢印Ｄで表したように吐水流路１８２を介して流出する。これに対して、矢印Ａで表したように、入水口１１４から圧力室１１８に導入された水は、導入口１３４が閉じているために流出経路がない。その結果として、圧力室１１６、１１８に圧力差が生じ、中子１２０は矢印Ｍで表したように右側に向けて回動を開始する。
【００３７】
中子１２０がさらに回動すると、図８（ｃ）に表したように、スライドバー１４６がハウジング１０２の内壁に当接する位置まで移動する。この状態からさらに中子１２０が移動し、スライドバー１４６が中子１２０に対して押されることにより、板ばね１６０の湾曲方向が反転して、反対側に付勢される。すると、図８（ａ）に表した状態と同様に、導入口１３２が閉じて導入口１３４が開いた状態となり、中子１２０は左側に向けて回動を開始する。
【００３８】
次に、本具体例における制御手段の作用についてさらに詳しく説明する。  
図９（ａ）乃至（ｄ）は、本具体例における制御手段の動作を説明するための模式図である。  
すなわち、同図（ａ）は、板ばね１６０が向かって右側が凸になるように湾曲してスライドバー１４６、１４８をこの方向に付勢している状態を表す。この時、主弁１４２により導入口１３２は閉じ、主弁１４４により導入口１３４は開いた状態とされる。
【００３９】
この状態で中子１２０が向かって右側に移動していくと、同図（ａ）に表したようにハウジング１０２の内壁にスライドバー１４８が当接する。中子１２０には圧力差が働いているため、スライドバー１４８をハウジング内壁に当接した状態で、中子１２０はさらに右に移動し、図９（ｂ）に表した状態になる。すなわち、板ばね１６０の付勢力に打ち勝って中子１２０とスライドバー１４８との相対位置を変化させ、中子１２０に対してスライドバー１４８が押される。この結果、板ばね１６０も左側に押されて変形し、同図に例示したような略Ｓ字状の状態となる。このとき、主弁１４２、１４４には中子１２０と同様に圧力差が働いており、導入口１３２、１３４の開閉状態を変化させない。
【００４０】
この後、中子１２０がさらに移動することにより、中子１２０に対してスライドバー１４８がさらに押されると、図９（ｃ）に表したように、板ばね１６０の湾曲方向が左側に反転を開始し、スライドバー１４６、１４８を左側に付勢する。  
すると、図９（ｄ）に表したように、板ばね１６０の付勢力によって主弁１４２、１４４が左側に移動し、導入口１３２が全開となり導入口１３４が全閉の状態となる。
【００４１】
以上説明したように、本具体例においては、圧縮した板ばね１６０の湾曲方向をスライドバー１４６、１４８により適宜反転させ、その付勢力を利用して主弁１４２、１４４を動作させることにより導入口１３２、１３４を全開及び全閉のいずれかの状態に択一的に制御する。つまり、板ばね１６０の付勢力を利用することで、中子１２０の反転のために左右の導入口１３２、１３４の開度差を確実に形成している。
【００４２】
スライドバー１４６、１４８を介して主弁１４２、１４４を制御する本具体例の機構は、駆動部１００の円滑な動作に対して極めて重要な役割を果たす。すなわち、圧縮された板ばね１６０は、右側あるいは左側に湾曲した状態が安定状態であるが、図９（ｂ）に表したようにこれら安定状態の中間付近において、準安定な中立状態となる場合がある。この状態においては、板ばね１６０には、左あるいは右への付勢力があまり発生しない。従って、この状態において、仮に導入口１３２、１３４の開度がほぼ同一の状態となると、中子の両側の導入口１３２、１３４から水が流入するために圧力差が無くなり、中子１２０の移動が停止してしまう。つまり、主弁１４２、１４４の移動開始のタイミングが板ばね１６０の反転のタイミングよりも早いと、中子１２０の動作が停止してしまうことがある。
【００４３】
これに対して、本具体例によれば、スライドバー１４６、１４８を設け、そのストロークを適宜調整することにより、図９（ｂ）のような準安定な中立状態においては、主弁１４２、１４４がまだ移動せず、中子１２０に圧力がかかって動き続ける状態を維持できる。そして、この中立状態を越えて板ばね１６０が反転を開始した時に主弁１４２、１４４が移動を始めるようにすることができる。つまり、主弁１４２、１４２の移動開始のタイミングを、板ばね１６０の反転のタイミングに同期させることができる。
【００４４】
言い換えれば、中子１２０を移動させるに足る開度差がなくなる前に板ばね１６０を反転させ、その反転力（付勢力）によりスライドバー１４６、１４８を介して主弁１４２、１４４を移動させ、導入口１３２、１３４の開度差を、中子１２０を逆方向に移動させるに足る開度差に逆転させることができる。
【００４５】
このようにすれば、板ばね１６０が中立状態の時に導入口１３２、１３４の開度がほぼ等しい状態となり中子１２０が停止してしまう、という問題を解消して、円滑な反復運動を実現できる。
【００４６】
また、このようにすると、中子１２０がその移動ストロークの中間付近などに停止している状態から出水を開始させるような場合においても、出水開始時に板ばね１６０により主弁１４２、１４４を制御して導入口１３２、１３４のいずれかが択一的に開かれた状態にあり、中子１２０の両側に圧力差を形成させて安定した初期動作を開始させることができる。つまり、導入口１３２の開度よりも導入口１３４の開度が大なる状態と、導入口１３４の開度よりも導入口１３２の開度が大なる状態と、を択一的に保持可能とすることができる。
【００４７】
以上説明したように、本具体例においては、中子１２０の移動方向と、主弁１４２、１４４の可動方向、スライドバー１４６、１４８の可動方向、板ばね１６０の付勢方向を略同一とすることにより、力の働き方に無駄がなく、受圧面積の大きな中子の移動力を有効に活用でき、円滑かつ安定した動作が可能となる。つまり、中子１２０の移動動作と開度制御動作とを連動させることにより、中子１２０の反転のための導入口１３２、１３４の開度の大小関係を逆転させる制御動作を確実且つ容易なものとし、シンプルでコンパクトな弁体と制御手段を実現している。これにより、中子１２０の移動に応じて導入口の開度差の大小関係を適宜逆転させ、中子１２０を左右に反復的に動作させることができる。
【００４８】
すなわち、中子１２０を動かすためには、導入口１３２、１３４の開度に差を設けて移動に必要な圧力差を生じさせればよい。また同様に、中子１２０の移動方向を反転させる際にも、制御手段によって、導入口１３２、１３４の開度の大小関係を逆転させればよい。例えば、導入口１３２及び１３４の開度の比率を制御手段によって、７０：３０から３０：７０に変化させることにより、反転動作が可能である。またさらに、制御手段によって、開度を１００：０から０：１００に変化させれば、最も確実且つ安定的反転動作が可能となる。
【００４９】
また、本具体例によれば、電気などの機械動力を必要とせず、水等の供給圧力のみで円滑な往復反転運動が可能となり、電源の設置や感電あるいは漏電など対する対策が不要となる。また、電磁ノイズなどの外乱にも影響されず円滑な動作が可能である。
【００５０】
更に、本具体例によれば、主弁１４２、１４４や制御手段が中子１２０に付属して設けられているので、例えば外付けの４方弁などが不要となり、シンプルな構成で円滑な往復反転運動を実現できる。その結果として、小型化が容易となり、また流路がシンプルになるため、圧力損失を抑えることができ、吐水量や吐水圧を確保できる点でも有利である。また、主弁１４２、１４４や制御手段がハウジング１０２の中に内蔵されている構造であるため、外乱に強く円滑な動作を実現できる。更にまた、給水に関しても、同一の給水源から分岐して２つの入水口に接続するだけでよく、施工性に優れる。更にまた、移動する中子と吐水筐体の内部に水路が形成されているため、吐水筐体の先端に様々なノズル又はスパウトなどを接続するだけで出水角度を変化させることが可能であり、特別な接続部材が不要である点でも、施工性が優れる。特に、キッチンルームにおいて、既存の設備の上に「後付け」で取り付ける場合においても、本具体例の駆動部は施工性が優れる点で有利である。
【００５１】
なお、本具体例における中子１２０の回動運動のストローク（回動角度）は、ハウジング１０２の扇状空間の開き角度により適宜設定できる。これにより、シンクの大きさや水はねを考慮して、出水範囲を任意に設定することができる。
【００５２】
また、回動動作により得られる推力は、中子１２０に付加される水圧と中子の受圧面積との積により決定される。従って、中子１２０の受圧面積を増加させれば、それに応じた大きな推力を得ることが可能となる。
【００５３】
なお、本具体例の場合、中子１２０の反転に際して、スライドバー１４６、１４８をハウジングの内壁に当接させているが、本発明はこれに限定されない。例えば、スライドバー１４６、１４８に磁石を設け、一方、ハウジングの内壁にも磁石を設け、これらの間に作用する反発力を利用してスライドバー１４６、１４８をハウジングに対して相対的に停止させることも可能である。この場合には、図９（ａ）乃至（ｃ）に対応する状態において、スライドバー１４６、１４８がハウジング１０２の内壁に当接せず、磁石（図示せず）の反発力によりハウジング１０２の内壁から所定の距離だけ離れた状態にあることとなる。このようにすれば、非接触で中子１２０の反転が可能となる。これにより、例えば、中子の往復運動を滑らかにしたり、スライドバーがハウジングに接触して音が発生することを防止できる。なお、この場合、中子の移動域とは、仮に磁石がなければ中子が移動したはずの空間ではなく、中子が実際に移動する空間をいう。
【００５４】
次に、本実施形態の第２の具体例について説明する。本具体例においては、導入口１３２、１３４の開度の大小関係を逆転させる制御手段として、前述の第１の具体例のような板バネ及びスライドバーではなく、磁石を利用する。  
図１０（ａ）乃至（ｄ）は、本具体例における制御手段の動作を示す模式図である。
【００５５】
図１０（ａ）は、中子１２０が向かって左側から右側に向けて移動し、ハウジング１０２の内壁に主弁１４４が当接した状態を表す。本具体例の場合、中子１２０には磁石１７０が設けられ、ハウジング１０２には磁石１７４が設けられている。なお、本具体例においては、磁石１７０と磁石１７４との間の引力を利用するため、磁石１７０及び１７４のうちの一方は、強磁性体に置き換えてもよい。
【００５６】
図１０（ａ）に示す状態においては、中子１２０に対して圧力差による力が働くので、中子１２０はさらに右側に移動する。すなわち、主弁１４４をハウジング１０２に当接させ移動方向に対して固定した状態で、中子１２０はさらに右側に移動する。
【００５７】
すると遂には図１０（ｂ）に表した状態になる。この状態においては、導入口１３２、１３４の開度はほぼ同一であるので、流路抵抗の差による圧力差は生じない。しかしこの時、磁石１７０と磁石１７４との間に作用する引力によって中子１２０をさらに右側に引き寄せることが可能である。
【００５８】
なおこの場合、中子１２０の摺動抵抗の値によっては、図１０（ｂ）に表した状態になる前に中子１２０が停止することもあり得る。このような場合には、図１０（ａ）と図１０（ｂ）の間の状態において磁石１７０と磁石１７４との間に作用する引力により中子１２０を引き寄せることが望ましい。
【００５９】
図１０（ｂ）に表した状態から中子１２０が磁石の引力によって右側に引き寄せられると、図１０（ｃ）に表したように導入口１３２の開度が導入口１３４の開度よりも大きい状態が形成される。すると、これら導入口１３２、１３４の流路抵抗に差が生じ、圧力差が生ずる。すなわち、中子１２０の右側の圧力のほうが高くなり、中子１２０は向かって左側に動き始める。つまり、導入口１３２、１３４の開度差の大小関係を逆転させることにより、中子１２０を反転させることが可能となる。
【００６０】
またこの時、圧力差は主弁１４４にも作用し、主弁１４４を閉じる方向の力が働く。その結果として、図１０（ｄ）に表したように、主弁１４４が完全に閉じられ、中子１２０の右側の圧力は最大値に上昇する。つまり、中子１２０を反転させた後、左側への最大の駆動力が得られる。
【００６１】
以上説明したように、磁石１７０と磁石１７４との間に作用する引力によって、中子１２０を図１０（ｃ）に表した状態まで引き寄せることができれば、導入口１３２、１３４の開度差の大小関係を逆転させることができ、中子１２０を反転させることができる。つまり、中子１２０をハウジング１０２の中で往復直線運動させることができる。
【００６２】
なお、この場合、中子１２０は、反転後に磁石の引力に打ち勝って移動する必要がある。つまり、圧力差により中子１２０に作用する力と、磁石により得られる引力とのバランスを適宜設定することが望ましい。
【００６３】
また、本具体例においては、主弁１４２、１４４の表面（ハウジング１０２との当接面）は曲面状に突出し、ハウジング１０２に当接した状態でも隙間が生ずるようにしている。このように、ハウジング１０２への当接面積を小さくすることによって、弁体が受ける圧力差を有効に活用でき、開度の大小を逆転させるという弁体の反転動作を円滑に行うことができる。
【００６４】
なお、本具体例においては、中子１２０の反転に際して、主弁１４２、１４４をハウジング１０２の内壁に当接させているが、本発明はこれに限定されない。例えば、主弁１４２、１４４に磁石を設け、一方、ハウジング１０２の内壁にも磁石を設け、これらの間に作用する反発力を利用して主弁１４２、１４４をハウジング１０２に対して相対的に停止させることも可能である。つまりこの場合には、図１０（ａ）乃至（ｃ）に対応する状態において、主弁１４２、１４４がハウジング１０２の内壁に当接せず、磁石（図示せず）の反発力によりハウジング１０２の内壁から所定の距離だけ離れた状態にあることとなる。このようにすれば、非接触で中子を反転させることができる。
【００６５】
次に、本実施形態の第３の具体例について説明する。本具体例に係る駆動部は、供給される水の勢いを利用して、往復回動運動を生成するものである。  
図１１は、本具体例に係る駆動部の羽根車室を例示する平面図であり、  
図１２は、本具体例に係る駆動部の歯車室を例示する平面図であり、  
図１３は、本具体例に係る駆動部の羽根車及び歯車を例示する模式的斜視図である。  
なお、便宜上、図１１及び図１２においては、歯車は図示を省略されている。また、図１３においては、羽根車、歯車及び軸以外の構成要素は図示を省略されている。
【００６６】
本具体例に係る駆動部２００においては、円筒形の水密容器であるハウジング２０１が設けられている。ハウジング２０１は、底板２０１ａ、側板２０１ｂ及び天板（図示せず）からなり、底板２０１ａには羽根車室２０２が掘り込まれており、底板２０１ａの上方が歯車室２０３となっている。羽根車室２０２と歯車室２０３とは、底板２０１ａの上面に連結された中蓋２０４により仕切られており、中蓋２０４には、水を通すための開口部２０５が形成されている。また、側板２０１ｂには入水管２０６が取り付けられている。入水管２０６の内部は入水流路２０７となっており、羽根車室２０２に連通されている。
【００６７】
羽根車室２０２内には、羽根車２１１が底板２０１ａに軸支されて、回転自在に設けられている。羽根車２１１の回転軸が延びる方向は、底板２０１ａから天板に向かう方向である。以下、本具体例においては、この方向を「軸方向Ｖ」という。羽根車２１１の中心部からは、軸方向Ｖに沿って軸２１２が延出しており、軸２１２の先端部は歯車２１３となっている。なお、軸２１２は中蓋２０４を貫通しており、歯車２１３は歯車室２０３内に位置している。
【００６８】
歯車室２０３には、後述するように複数個の歯車が収納されている。いずれの歯車も、中蓋２０４に回転自在に軸支されており、その回転軸は軸方向Ｖに延びている。これらの歯車は、歯車室２０３内で３層に分かれて配置されている。最下層である第１層には、前述の歯車２１３の他に、その直径が歯車２１３よりも大きく、相互に同形な１対の歯車２１４及び２１５が設けられている。歯車２１３は歯車２１５には接しておらず、歯車２１４のみに係合している。また、歯車２１４は歯車２１５に係合している。従って、歯車２１４と歯車２１５とは、相互に逆回転することになる。
【００６９】
歯車２１４の中心からは、軸方向Ｖに沿って軸２１６が延出しており、その先端部は歯車２１７となっている。歯車２１７の直径は歯車２１４の直径よりも小さい。同様に、歯車２１５の中心からは、軸方向Ｖに沿って軸２１８が延出しており、その先端部は歯車２１９となっている。軸２１６と軸２１８とは相互に同形であり、歯車２１７と歯車２１９とは相互に同形であり、従って、歯車２１４、軸２１６及び歯車２１７が同軸に連結された部品と、歯車２１５、軸２１８及び歯車２１９が同軸に連結された部品とは、相互に同形である。
【００７０】
歯車２１７及び２１９は、中間層である第２層に位置している。第２層には、これらの歯車２１７及び２１９の他に、その直径がほぼ歯車２１４及び２１５の直径と等しく、相互に同形の１対の歯車２２１及び２２２が設けられている。そして、歯車２１７は歯車２２１に係合しており、歯車２１９は歯車２２２に係合している。従って、歯車２２１と歯車２２２とは、相互に逆回転する。
【００７１】
歯車２２１の中心からは、軸方向Ｖに沿って軸２２３が延出しており、その先端部には、扇形の歯車２２４が取り付けられている。歯車２２４の半径は歯車２２１の半径よりもやや小さく、その中心角は１８０度未満であり、例えば約１３５度である。同様に、歯車２２２の中心からは、軸方向Ｖに沿って軸２２５が延出しており、その先端部には、扇形の歯車２２６が取り付けられている。軸２２３と軸２２５とは相互に同形であり、歯車２２６と歯車２２４とは相互に同形である。従って、歯車２２１、軸２２３及び扇形の歯車２２４が同軸に連結された部品と、歯車２２２、軸２２５及び扇形の歯車２２６が同軸に連結された部品とは、相互に同形である。なお、扇形の歯車２２４及び２２６の中心角は、駆動に求められる所望の回動角度に合わせて適宜設定すればよい。
【００７２】
２つの扇形の歯車２２４及び２２６は、最上層である第３層に位置している。第３層には、これらの扇形の歯車２２４及び２２６の他に、１個の円形の歯車２２７が設けられている。歯車２２７の半径は、扇形の歯車２２４及び２２６の半径と等しい。そして、扇形の歯車２２４及び２２６は、歯車２２７に交互に係合するように配置されている。
【００７３】
歯車２２７の軸２２８は内部が中空となっており、その中心軸に沿って吐水流路２２９が形成されている。軸２２８における第１層に位置する部分には、吐水流路２２９を軸２２８の外部に連通する２つの導入口２３０が形成されている。一方、軸２２８の上端部は、ハウジング２０１の天板を貫通して、ハウジング２０１の外部に突出している。これにより、歯車室２０３は、吐水流路２２９を介して、駆動部２００の外部に連通されている。
【００７４】
次に、本具体例に係る駆動部２００の動作について説明する。  
矢印Ｗ１に示すように、入水管２０６の入水流路２０７に水が供給されると、この水は羽根車室２０２内に羽根車２２１の接線方向に流入し、羽根車２１１を回転させる。図１１〜図１３に示す例では、この回転方向は軸方向Ｖから見て反時計方向である。これにより、羽根車２１１に連結された歯車２１３が反時計方向に回転し、歯車２１３に係合された歯車２１４が時計方向に回転する。このとき、歯車２１４の回転速度は歯車２１３の回転速度よりも低くなり、トルクは大きくなる。また、歯車２１４に係合された歯車２１５が、歯車２１４と同じ回転速度で反時計方向に回転する。これにより、歯車２１４に連結された歯車２１７が時計方向に回転し、歯車２１５に連結された歯車２１９が反時計方向に回転する。
【００７５】
そして、歯車２１７に係合された歯車２２１が反時計方向に回転し、歯車２１９に係合された歯車２２２が時計方向に回転する。このとき、歯車２２１及び２２２の回転速度は歯車２１７及び２１９の回転速度よりも低くなり、トルクは大きくなる。これにより、歯車２２１に連結された扇形の歯車２２４が反時計方向に回転し、歯車２２２に連結された扇形の歯車２２６が時計方向に回転する。
【００７６】
そして、前述の如く、２つの扇形の歯車２２４及び２２６は交互に歯車２２７に係合する。このため、歯車２２７は、歯車２２４が係合しているときは時計方向に回転し、歯車２２６が係合しているときは反時計方向に回転する。この結果、歯車２２７は往復回動運動を行う。これにより、歯車２２７に連結された軸２２８も、往復回動運動を行う。
【００７７】
また、このとき、羽根車２１１を回転させた水は、中蓋２０４の開口部２０５を介して歯車室２０３内に流入し、さらに、矢印Ｗ２に示すように導入口２３０を介して軸２２８内の吐水流路２２９内に流入し、矢印Ｗ３に示すように、軸２２８の上端部から吐水される。従って、軸２２８の吐水流路を図１に示す連結管７２３に連通することにより、第１の実施形態に係るキッチン用水栓７００（図１参照）を実現することができる。
【００７８】
本具体例においても、前述の第１及び第２の具体例と同様に、上水道から供給される水を利用して、出水部７２２（図１参照）に往復回動運動を付与することができる。  
なお、前述の第１及び第２の具体例に係る容積型の駆動部は、水の圧力を利用して往復回動運動を生成しているが、本具体例に係る羽根車型の駆動部は、水の勢いを利用して往復回動運動を生成している。このため、本具体例に係る駆動部は、第１及び第２の具体例と比較して、高い回転速度を得やすい反面、大きなトルクを得ることがやや困難である。但し、回転速度とトルクとのバランスは、羽根車の設計や歯車の係合比の選択により、ある程度調節することができる。
【００７９】
次に、本発明の第２の実施形態について説明する。  
図１４及び図１５は、本実施形態に係るキッチン用水栓を例示する模式的斜視図であり、図１４は、可動水栓を使用する場合を示し、図１５は、通常水栓を使用する場合を示す。なお、図１４及び図１５において、図１に示す構成要素と同じ構成要素には同じ符号を付し、その詳細な説明を省略する。
【００８０】
図１４に示すように、本実施形態におけるキッチンカウンター５０１は、前述の第１の実施形態におけるキッチンカウンター５００と比較して、シンク６１０の構成が異なっている。すなわち、シンク６１０の奥側中央部に張出部６１１が形成されており、張出部６１１の上面にターンテーブル６１２が所定の角度範囲で回動可能に設けられている。そして、ターンテーブル６１２に、通常水栓７１０及び可動水栓７２０からなるキッチン用水栓７００が取り付けられている。通常水栓７１０及び可動水栓７２０は、ターンテーブル６２１の中心から見て、通常水栓７１０のスパウトと可動水栓７２０のノズル７２４とが例えば相互に９０度離隔した方向に延びるように配置されている。また、張出部６１１の上面におけるターンテーブル６１２が設けられていない領域には、水を通常水栓７１０から出水させるか可動水栓７２０から出水させるかを切替えるバルブ７３０が設けられている。通常水栓７１０及び可動水栓７２０の構成は、前述の第１の実施形態と同様である。すなわち、可動水栓７２０の駆動部７２１には、例えば、前述の第１の実施形態の第１〜第３の具体例に係る駆動部のいずれかを使用することができる。
【００８１】
次に、本実施形態の動作について説明する。  
図１４に示すように、可動水栓７２０を使用する際には、ターンテーブル６１２の角度を調節して、可動水栓７２０のノズル７２４を手前側に引き出す。このとき、通常水栓７１０はシンク６１０の奥側に位置する。この状態で、バルブ７３０を切替えて、上水道から可動水栓７２０に水を供給する。これにより、駆動部７２１は、出水部７２２の連結管７２３及びノズル７２４をその中心軸を回動軸として矢印Ｍで示すように往復回動させると共に、ノズル７２４の出水孔７２５から水を出水させる。このとき、ノズル７２４は往復回動運動しているため、出水孔７２５からの出水方向は、一定の角度範囲内で反復的に変化する。この結果、シンク６１０内の広い範囲に対して、水を出水することができる。
【００８２】
なお、このとき、ノズル７２４を往復回動させながら、手動によりターンテーブル６１２を回動させてもよい。これにより、ノズル７２４の自動的な往復回動運動に、手動によるターンテーブル６１２の回動運動が重畳され、より広い範囲に対して水を出水させることができる。
【００８３】
一方、図１５に示すように、通常水栓７１０を使用する際には、ターンテーブル６１２を回動させて、通常水栓７１０を手前側に引き出す。このとき、可動水栓７２０はシンク６１０の奥側に移動する。この状態で、バルブ７３０を切替えて、上水道から通常水栓７１０に水を供給する。
【００８４】
このように、本実施形態によれば、ターンテーブル６１２を設けることにより、通常水栓７１０及び可動水栓７２０のうち、使用する方を手前側に引き出すと共に、使用しない方を奥側に位置させることができる。これにより、使用していない水栓が洗浄作業の邪魔になることがない。また、可動水栓７２０による洗浄作業中に、ターンテーブル６１２を手動で回動させれば、より広い範囲に対して水を出水させることができる。本実施形態における上記以外の動作及び効果は、前述の第１の実施形態と同様である。
【００８５】
なお、ターンテーブル６１２の回動角度範囲は、図１４に示すようにノズル７２４を手前側に引き出した状態と、図１５に示すように通常水栓７１０を手前側に引き出した状態と、が選択可能となるような角度範囲であることが望ましく、例えば９０度以上であることが望ましい。また、ノズル７２４から出水させながら、ターンテーブル６１２を手動で回動させてより広い範囲に対して出水させるためには、ターンテーブル６１２の回動角度範囲は９０度よりも大きいことが好ましく、例えば、１８０度であることが好ましい。回動角度範囲を１８０度とすることにより、ノズル７２４を、シンク６１０の一方の奥側から他方の奥側までの範囲で回動させることができ、シンク６１０の全域をカバーすることができる。
【００８６】
また、本実施形態において、可動水栓７２０にノズル７２４を複数本設けてもよい。このとき、例えば、複数本のノズル間において、中心軸が延びる方向を相互に異ならせて、複数本のノズルを駆動部７２１を中心とした扇形に配置してもよい。これにより、より一層広い範囲に対して出水させることができる。
【００８７】
次に、本発明の第３の実施形態について説明する。  
図１６は、本実施形態に係るキッチン用水栓を例示する模式的斜視図である。なお、図１６において、図１に示す構成要素と同じ構成要素には同じ符号を付し、その詳細な説明を省略する。  
図１７は、本実施形態に係るキッチン用水栓の配管を例示する模式図である。
【００８８】
図１６に示すように、キッチンカウンター５０２の上面には、シンク６２０が設けられている。上方から見て、シンク６２０の外縁の形状は手前側に凸の半円形である。そして、シンク６２０の奥側中央部には、張出部６２１が形成されている。上方から見て、張出部６２１の外縁、すなわちシンク６２０の内縁の形状も、手前側に凸の半円形であり、シンク６２０の外縁をなす半円の中心と張出部６２１の外縁をなす半円の中心とは相互に一致している。このため、上方から見て、シンク６２０の形状は半環状となっている。
【００８９】
そして、張出部６２１には、可動水栓７２０が設けられている。可動水栓７２０における駆動部７２１は張出部６２１の内部に収納されている。また、駆動部７２１からはスパウト７２６が上方に引き出されている。スパウト７２６は張出部６２１の上面を貫通しており、その大部分が張出部６２１の上方に位置している。スパウト７２６は、駆動部７２１に連結されている側のほぼ半分が直管状であり、他方側のほぼ半分が半円状に湾曲しており、全体としてＪ字形の曲管をなしている。そして、スパウト７２６における駆動部７２１に連結されていない側の端部が、下方に向いた出水口７２７となっている。
【００９０】
図１７に示すように、駆動部７２１には、例えば、前述の第１の実施形態の第１又は第２の具体例に係る容積型の駆動部を使用することができる。従って、駆動部７２１には、上水道８００に連結された２つの入水口１１２及び１１４が設けられており、上水道８００には、入水口１１２及び１１４に水を供給するか否かを切替える開閉バルブ７３１が設けられている。また、駆動部７２１には、２つの圧力室間をバイパスするバイパス管７３２が設けられており、バイパス管７３２には、バイパス管７３２に水を流すか否かを切替えるバイパスバルブ７３３が設けられている。図１６に示すように、開閉バルブ７３１及びバイパスバルブ７３３は、張出部６２１の上面に取り付けられている。
【００９１】
また、本実施形態に係るキッチン用水栓には通常水栓は設けられておらず、キッチンカウンター５０２の上面におけるシンク６２０以外の領域は、作業スペース５０３となっている。
【００９２】
次に、本実施形態の動作について説明する。  
開閉バルブ７３１を開くことにより、上水道８００から駆動部７２１に水が供給される。そして、スパウト７２６を回動させたいときは、バイパスバルブ７３３を閉じる。これにより、駆動部７２１が、スパウト７２６をその駆動部７２１側の端部の中心軸を回転軸として、矢印Ｍに示すように往復回動運動させる。また、駆動部７２１は、スパウト７２６の出水口７２７から下方に向けて水を出水させる。これにより、シンク６２０のほぼ全域に対して、水を出水することができる。
【００９３】
一方、スパウト７２６を回動させずに、一ヶ所で出水させたいときには、バイパスバルブ７３３を開く。これにより、駆動部７２１内の２つの圧力室間の圧力差が解消され、スパウト７２６の回動運動が停止する。これにより、出水口７２７を任意の位置に固定した状態で、水を出水させることができる。
【００９４】
本実施形態によれば、スパウト自体を回動させ、シンクの広さをほぼ着水範囲に限定することにより、作業スペースを広くとることができる。また、本実施形態によれば、スパウトを曲管により構成することにより、スパウトの出水口をスパウトの回動軸から外れた位置に配置し、スパウトの自転運動を出水口の公転運動に変換して、出水口の位置を円弧状の軌道に沿って反復的に移動させることができる。  
なお、本明細書において、「曲管」とは、部分的に直線状の部分があっても、少なくとも一ヶ所で湾曲又は屈曲した管をいい、例えば、直管の一ヶ所を屈曲させて形成したＬ字形の管、及び直管の二ヶ所を屈曲させて形成したコ字形の管も「曲管」に含まれる。  
本実施形態における上記以外の動作及び効果は、前述の第１の実施形態と同様である。
【００９５】
次に、本発明の第４の実施形態について説明する。  
図１８は、本実施形態に係るキッチン用水栓を例示する模式的斜視図である。  
図１８に示すように、キッチンカウンター５０４の上面には、シンク６３０が設けられており、キッチンカウンター５０４上におけるシンク６３０の奥側の両側方には、キッチン用水栓７４０が設けられている。すなわち、キッチン用水栓７４０は、通常水栓７１０と可動水栓７５０とからなり、通常水栓７１０はシンク６３０の一方の側方に配置されており、可動水栓７５０はシンク６３０の他方の側方に配置されている。通常水栓７１０と可動水栓７５０とは、給水配管が別系統となっている。なお、図１８においては、通常水栓７１０がシンク６３０の向かって右側に配置され、可動水栓７５０がシンク６３０の向かって左側に配置された例を示したが、この配置は任意であり、通常水栓が左側、可動水栓が右側に配置されていてもよい。
【００９６】
可動水栓７５０においては、駆動部７５１が設けられており、駆動部７５１における通常水栓７１０側の面からは、出水部としてのノズル７５２が引き出されている。ノズル７５２は短辺部分７５２ａ及び長辺部分７５２ｂからなるＬ字形状をなしている。すなわち、ノズル７５２は、その短辺部分７５２ａが駆動部７５１から一旦通常水栓７１０側に引き出された後、ほぼ直角に屈曲して、その長手部分７５２ｂが手前側に延びている。ノズル７５２の長辺部分７５２ｂには、その長手方向に沿って複数個の出水孔（図示せず）が形成されている。なお、出水孔として、長辺部分７５２ｂの長手方向に延びる長孔が形成されていてもよい。また、ノズル７５２は駆動部７５１に対して、短辺部分７５２ａの中心軸を回転軸として回転可能に取り付けられている。
【００９７】
また、可動水栓７５０においては、駆動部７５１を支持する支持部７５３ａ及び７５３ｂが設けられており、支持部７５３ａ内には、上水道（図示せず）から駆動部７５１に水を供給する配管（図示せず）が挿通されている。この配管の途中には、水を駆動部７５１に供給するか否かを切替える開閉バルブ７５４が設けられている。この開閉バルブ７５４は支持部７５３ａの側面に取り付けられている。
【００９８】
駆動部７５１は、ノズル７５２を、その短辺部分７５２ａが延びる方向に沿って往復直線運動させる。駆動部７５１の構成については、後で具体例を挙げて詳しく説明する。本実施形態における上記以外の構成は、前述の第１の実施形態と同様である。
【００９９】
次に、本実施形態の動作について説明する。  
開閉バルブ７５４を開くことにより、上水道から可動水栓７５０の駆動部７５１に水が供給される。これにより、駆動部７５１は、この水を利用してノズル７５２を矢印Ｍで示すように往復直線運動させると共に、ノズル７５２に対して水を吐出する。ノズル７５２に吐出された水は、ノズル７５２内を流通し、出水孔から水Ｗとして出水する。このとき、ノズル７５２は出水孔が配列された方向に直交する方向に往復直線運動しているため、出水孔の位置が一定の領域内で反復的に変化し、この結果、シンク６３０内の広い範囲に対して、水を出水させることができる。
【０１００】
一方、可動水栓７５０を使用しないときは、ノズル７５２を９０度回転させて、長辺部分７５２ｂを短辺部分７５２ａの上方に退避させる。また、通常水栓７１０には、可動水栓７５０とは別系統で水が供給されるため、可動水栓７５０から独立して使用することができる。本実施形態における上記以外の動作は、前述の第１の実施形態と同様である。
【０１０１】
次に、本実施形態の効果について説明する。  
本実施形態においては、ノズル７５２を往復直線運動させることにより、その長辺部分７５２ｂに形成された出水孔の位置を変化させながら、水を出水させることができる。これにより、シンク６３０内の広い範囲に対して水を出水させることができる。また、このとき、シンク６３０内の様々な位置に置かれた被洗浄物に対して、ほぼ同じ距離から水をかけることができるため、シンク６３０内の広い範囲において、均質な洗浄効果を得ることができる。
【０１０２】
また、本実施形態においては、通常水栓７１０と可動水栓７５０とで給水配管が別系統となっているため、通常水栓７１０及び可動水栓７５０を同時に使用することも可能である。更に、可動水栓７５０を使用しないときには、ノズル７５２の長辺部分７５２ｂを短辺部分７５２ａの上方に位置させることにより、この長辺部分７５２ｂをシンク６３０の奥側に退避させることができる。これにより、この長辺部分７５２ｂが洗浄作業の邪魔になることがない。本実施形態における上記以外の効果は、前述の第１の実施形態と同様である。
【０１０３】
次に、本実施形態に係るキッチン用水栓７４０の駆動部７５１を実現するための具体例について説明する。  
図１９乃至図２２は、本具体例に係る駆動部の動作メカニズムを説明するための模式図である。  
図１９乃至図２２に示す駆動部３００は、図１８に示す駆動部７５１の具体例である。駆動部３００の動作メカニズムは、前述の第１の実施形態の第１の具体例に係る駆動部１００（図２乃至図１０参照）の動作メカニズムと同様であるが、生成する往復運動が往復回動運動ではなく、往復直線運動である点が異なっている。
【０１０４】
すなわち、駆動部３００は、ハウジング３０２の中に移動可能に設けられた中子３２０を有する。これにより、ハウジング３０２の内部は、中子３２０によって２つの圧力室３１６、３１８に分割されている。中子３２０は中空構造を有し、その中空空間は、吐水筒体３８０に設けられた吐水流路３８２と連通した中子内流路３２４を構成している。また、中子内流路３２４は、導入口３３２、３３４を介してそれぞれ圧力室３１６、３１８と連通する。
【０１０５】
中子３２０には、導入口３３２、３３４の開度を変化させる主弁３４２、３４４が設けられている。また、中子３２０には、これら主弁３４２、３４４を制御する制御手段が設けられている。制御手段によって導入口３３２、３３４の開度に差を設けることにより、入水口から中子内流路３２４に至る左右の流路の流路抵抗を異ならせ、これにより左右の圧力室３１６、３１８に生ずる圧力差を利用して中子３２０を移動させることができる。
【０１０６】
図１９に表した状態においては、制御手段は主弁３４２、３４４をそれぞれ右側に付勢された状態とし、中子３２０の右側に水の導入口３３４が開かれている。従って、入水口３１４から供給された水は、圧力室３１８から矢印Ｃで表した経路で中子３２０の中子内流路３２４に流入し、吐水筒体３８０に設けられた吐水流路３８２を通って矢印Ｄで表したように流出する。一方、ハウジング３０２の入水口３１２から供給された水は流出経路がない。このため、圧力室３１６の圧力は圧力室３１８の圧力よりも上昇する。その結果として、中子３２０は矢印Ｍの方向に動く。
【０１０７】
そして、図２０に示すように、中子３２０がハウジング３０２内をその移動ストロークの右端または右端近傍まで動くと、制御手段の制御によって、主弁３４２、３４４が左側に移動する。すると、中子３２０の右側の導入口３３４は閉じられ、左側の導入口３３２が開かれる。この状態においては、入水口３１２から供給された水は矢印Ｃで表したように圧力室３１６から導入口３３２を介して中子３２０の中子内流路３２４に流入し、矢印Ｄで表したように吐水筒体３８０から流出する。一方、入水口３１４から供給された水は流出経路がなく流出できない。この結果、圧力室３１８の圧力は圧力室３１６の圧力よりも高くなり、中子３２０は、図２０及び図２１に矢印Ｍで表したように左方向に動く。
【０１０８】
中子３２０が左側に動き続け、図２２に表したように、ハウジング３０２の左端または左端近傍に至ると、制御手段の制御によって、主弁３４２、３４４が右側に移動する。すると、図１９に関して前述したように、中子３２０の左側の導入口３３２が閉じて右側の導入口３３４が開く。その結果として、圧力室３１８の圧力が低下し、圧力室３１６の圧力が上昇して中子３２０は矢印Ｍで表したように右側に動く。この後、図１９乃至図２２に関して前述した動作を繰り返すことにより、中子３２０は、ハウジング３０２の中を左右に反復して動き続ける。
【０１０９】
以下、本具体例に係る駆動部３００の構造についてより詳細に説明する。  
図２３は、本具体例に係る駆動部を例示する斜視図であり、  
図２４は、本具体例に係る駆動部を例示する斜視断面図であり、  
図２５は、本具体例に係る駆動部を例示する断面図であり、  
図２６は、図２５に示すＢ−Ｂ’線による断面図である。
【０１１０】
本具体例の駆動部３００においては、ハウジング本体３０３とハウジング蓋３０４により形成されるハウジング３０２から円筒状の吐水筒体３８０が突出している。吐水筒体３８０は、内部に吐水流路３８２を有する中空構造となっており、先端にて開口している。
【０１１１】
ハウジング３０２に設けられた入水口３１２、３１４に水を導入すると、吐水筒体３８０が矢印Ｍの方向に往復直線運動をする。従って、吐水筒体３８０の先端に図１８に示すノズル７５２を取り付ければ、出水位置が反復的に移動する可動水栓を構成できる。
【０１１２】
駆動部３００の内部構造について説明すると、図２４乃至図２６に表したように、ハウジング本体３０３及びハウジング蓋３０４により形成されるハウジング３０２のシリンダ空間に、中子本体３２１と中子蓋３２２とからなる中子３２０が移動可能に収容されている。中子３２０は、ハウジング３０２から突出する吐水筒体３８０に連結され、ハウジング内を第１の圧力室３１６と第２の圧力室３１８とに分割してピストンのように動く。これら圧力室３１６、３１８のそれぞれには、入水口３１２、３１４からそれぞれ水が導入される。中子３２０とハウジング３０２の内壁との摺動部には、液密を維持しつつ摺動を円滑にするためのシール３２６が設けられている。また、吐水筒体３８０とハウジング３０２との摺動部にも、同様の目的でシール３８４が設けられている。これらシール３２６、３８４の材料は、図３に示すシール１２６、１２７と同様である。
【０１１３】
次に、中子３２０の構造について説明する。  
中子本体３２１に中子蓋３２２を組合せることにより中子内流路３２４が形成され、この中子内流路３２４は、吐水筒体３８０に設けられた吐水流路３８２に連通している。中子本体３２１及び中子蓋３２２には、中子内流路３２４と圧力室３１６、３１８とを連通させる導入口３３２、３３４が設けられている。
【０１１４】
そして、中子内流路３２４を横断するように、主弁３４２、３４４、スライドバー３４６、３４８、板ばね３６０が設けられている。主弁、スライドバー、板ばねの形状及び相互間の関係は、図７に関して前述したとおりである。また、これらの動作は、図９に関して前述したとおりである。
【０１１５】
以下、本具体例に係る駆動部の動作について説明する。  
図２７（ａ）乃至（ｃ）は、本具体例に係る駆動部の往復動作を示す模式図である。  
すなわち、同図（ａ）は、スライドバー３４６、３４８が板ばね３６０の作用により向かって右側に向けて付勢された状態を表す。この時、主弁３４２、３４４もスライドバー３４６により右側に向けて付勢されるので、導入口３３２は閉じ、導入口３３４が開いた状態が形成される。
【０１１６】
この状態で入水口３１２、３１４にほぼ同圧に水を供給すると、矢印Ｂで表したように入水口３１４から圧力室３１８に導入された水は、矢印Ｃで表したように導入口３３４から中子内流路３２４に流入し、左右に連通する吐水流路３８２を介して矢印Ｄで表したように流出する。
【０１１７】
これに対して、矢印Ａで表したように入水口３１２から圧力室３１６に導入された水は、導入口３３２が閉じているために流出経路がなく、圧力室３１６の圧力を上昇させる。つまり、導入口３３２、３３４の開度に差を設けることにより流路抵抗に差が生じ圧力差が生ずる。その結果として、圧力室３１８よりも圧力室３１６の圧力のほうが高くなり、中子３２０は矢印Ｍの方向に押されて移動する。
【０１１８】
図２７（ａ）に表した状態から中子３２０が矢印Ｍの方向にさらに移動を続け、スライドバー３４８がハウジング３０２の内壁に当接し、中子に対して押されると、板ばね３６０の湾曲方向が反転し、図２７（ｂ）に表したように、スライドバー３４６、３４８は、向かって左側に向けて付勢される。すると、スライドバー３４８が主弁３４４を押すことにより、主弁３４２、３４４も左側に移動する。すなわち、導入口３３２が開き、導入口３３４が閉じる。
【０１１９】
図２７（ｂ）に表した状態においては、矢印Ａで表したように入水口３１２から圧力室３１６に導入された水は、矢印Ｃで表したように、導入口３３２から中子内流路３２４に流入し、吐水流路３８２を介して矢印Ｄで表したように流出する。これに対して、矢印Ｂで表したように、入水口３１４から圧力室３１８に導入された水は、導入口３３４が閉じているために流出経路がない。この結果、圧力室３１８の圧力が圧力室３１６の圧力よりも高くなり、中子３２０の両側で圧力差が生じるため、中子３２０は矢印Ｍで表したように左側に向けて移動を開始する。
【０１２０】
中子３２０が移動を続けると、図２７（ｃ）に表したように、スライドバー３４６がハウジング３０２の内壁に当接する位置まで移動する。この状態からさらに中子３２０が移動し、スライドバー３４６が中子３２０に対して押されることにより、板ばね３６０の湾曲方向が反転して、右側に付勢される。すると、図２７（ａ）に表した状態と同様に、導入口３３２が閉じて導入口３３４が開いた状態となり、中子３２０は右側に向けて移動を開始する。
【０１２１】
以上説明したように、本具体例によれば、中子３２０に弁体としての主弁３４２、３４４と、スライドバー３４６、３４８及び板ばね３６０からなる制御手段を設けることにより、中子３２０の移動に応じて導入口３３２、３３４の開度差の大小関係を適宜逆転させ、中子３２０を左右に反復的に動作させることができる。本具体例における中子３２０の往復運動のストロークは、ハウジング３０２の長さと、中子３２０の厚み（幅）と、により適宜設定できる。
【０１２２】
また、本具体例においては、ハウジング内空間を円柱状とし、円筒状の吐水筒体３８０を円筒状の中子３２０の中心に設けているため、吐水筒体３８０を回転させることができる。つまり、吐水筒体３８０の先端にノズル７５２（図１８参照）を取り付けた場合に、ノズル７５２が回転可能となり、不使用時に上方に退避させることができるようになる。
【０１２３】
なお、本具体例においては、往復直線動作において得られる推力は、中子３２０に印加される水圧と中子の受圧面積との積により決定される。従って、中子３２０の受圧面積を増加させれば、それに応じた大きな推力を得ることが可能となる。
【０１２４】
次に、本発明の第５の実施形態について説明する。  
図２８は、本実施形態に係るキッチン用水栓を例示する模式的斜視図である。  
図２８に示すように、本実施形態におけるキッチンカウンター５０５においては、前述の第４の実施形態に係るキッチンカウンター５０４（図１８参照）と比較して、可動水栓からノズルが２本引き出されている点が異なっている。
【０１２５】
すなわち、キッチンカウンター５０５の上面には、シンク６３０が設けられており、キッチンカウンター５０５上におけるシンク６３０の両側方には、通常水栓７１０と可動水栓７６０とからなるキッチン用水栓７７０が設けられている。通常水栓７１０はシンク６３０の一方の側方に配置されており、可動水栓７６０はシンク６３０の他方の側方に配置されており、通常水栓７１０と可動水栓７５０とは給水配管が別系統となっている。なお、図２８においては、通常水栓７１０がシンク６３０の向かって左側に配置され、可動水栓７６０がシンク６３０の向かって右側に配置された例を示したが、これは逆でもよい。
【０１２６】
可動水栓７６０においては、駆動部７６１が設けられており、駆動部７６１における手前側及び奥側の面からは、それぞれノズル７６２が引き出されている。ノズル７６２は、一旦駆動部７６１から遠ざかる方向に引き出された後、９０度屈曲してシンク６３０に向かって延び、再び９０度屈曲して駆動部７６１の側方に達し、再々度９０度屈曲して駆動部７６１から遠ざかる方向に延び、その先端に至っている。そして、再々度屈曲した部分から先端までの部分が、シンク６３０の上方を横断しており、この部分に複数個の出水孔（図示せず）が形成されている。なお、出水孔として長孔が形成されていてもよい。また、ノズル７６２は駆動部７６１に対して回転可能に取り付けられている。
【０１２７】
駆動部７６１は、ノズル７６２を、矢印Ｍで示す方向に沿って往復直線運動させる。駆動部７６１の構成については、後で具体例を挙げて詳しく説明する。また、キッチンカウンター５０５の上面における駆動部７６１の近傍には、上水道から供給された水を駆動部７６１に供給するか否かを切替える開閉バルブ７６４が設けられている。本実施形態における上記以外の構成は、前述の第４の実施形態と同様である。
【０１２８】
次に、本実施形態の動作について説明する。  
開閉バルブ７６４を開くことにより、上水道から可動水栓７６０の駆動部７６１に水が供給される。これにより、駆動部７６１は、この水を利用してノズル７６２を矢印Ｍで示すように往復直線運動させると共に、ノズル７６２に対して水を吐出する。ノズル７６２に吐出された水は、ノズル７６２内を流通し、出水孔から水Ｗとして出水する。このとき、ノズル７６２は出水孔が配列された方向に直交する方向に往復直線運動しているため、出水孔の位置が一定の領域内で反復的に変化し、この結果、シンク６３０内の広い範囲に対して、水を出水させることができる。
【０１２９】
一方、可動水栓７６０を使用しないときは、２本のノズル７６２を９０度回動させて、駆動部７６１の上方に退避させる。また、通常水栓７１０は、可動水栓７６０とは独立して使用することができる。本実施形態における上記以外の動作は、前述の第４の実施形態と同様である。
【０１３０】
次に、本実施形態の効果について説明する。  
本実施形態においては、２本のノズル７６２から水を出水させることにより、ノズルが１本の場合と比較して、シンク６３０内のより広い範囲に対して水を出水させることができる。また、シンク６３０内の様々な位置に置かれた被洗浄物に対して、ほぼ同じ距離から水をかけることができるため、均質な洗浄効果を得ることができる。更に、通常水栓７１０と可動水栓７６０とで給水配管が別系統となっているため、両水栓を同時に使用することもできる。更にまた、可動水栓７６０を使用しないときには、ノズル７６２を駆動部７６１の上方に退避させることができる。このため、図２８に示す例において、駆動部７６１の向かって右側が壁である場合には、ノズル７６２を壁側に退避させることができる。これにより、可動水栓７６０を使用しないときに、ノズル７６２が邪魔になることがない。本実施形態における上記以外の効果は、前述の第１の実施形態と同様である。
【０１３１】
次に、本実施形態に係るキッチン用水栓７７０の駆動部７６１を実現するための具体例について説明する。  
図２９は、本具体例に係る駆動部を例示する斜視断面図である。なお、図２９については、図２３乃至図２７に示す構成要素と同様の構成要素には同じ符号を付し、その詳細な説明を省略する。
【０１３２】
図２９に示すように、本具体例に係る駆動部４００は、前述の第４の実施形態の具体例に係る駆動部３００（例えば、図２４参照）と比較して、吐水筒体３８０が中子３２０の両側に設けられている点が異なっている。これにより、吐水筒体３８０は、ハウジング３０２の両側から突出している。これら１対の吐水筒体３８０は、それぞれ吐水しながら同一方向に同期して往復運動をする。本具体例における上記以外の構成、動作及び効果は、前述の第４の実施形態の具体例と同様である。
【０１３３】
以上、具体例を参照しつつ本発明の実施形態について説明した。しかし、本発明は、これらの実施形態及びその具体例に限定されるものではない。すなわち、本発明のキッチン用水栓及びキッチンカウンターを構成するいずれかの要素について当業者が設計変更を加えたものであっても、本発明の要旨を備えたものであれば、本発明の範囲に包含される。例えば、キッチンカウンターにおけるキッチン用水栓の配設位置、シンクの形状、可動水栓の駆動部の外形、スパウト又はノズルの形状、出水孔の大きさ及び形状、往復回動運動の回動角度及び往復直線運動のストローク、運動速度などについて当業者が適宜変更を加えたものであっても、本発明の要旨を含む限り、本発明の範囲に包含される。また、上述の各実施形態においては、少なくとも可動水栓が設けられていればよく、通常水栓は設けられていなくてもよい。
【０１３４】
例えば、上述の各実施形態及びその具体例において、ノズルの回動速度又は往復直線運動速度を調整する速度調整手段を設けてもよい。このような速度調整手段は、例えば、吐水筒体に可変の摺動抵抗を与える摺動部材を設けることによって実現することができる。または、ハウジングの２つの入水口のうちいずれかの入水口に供給される水を遮断する弁機構を設けることによっても実現することができる。または、２つの圧力室間にバイパス水路を設け、このバイパス水路の流量を制御する開閉弁を設けることによっても実現することができる。これにより、ノズルの運動速度を使用者の好みの速度に調整することができる。また、このような速度調整手段を設ければ、ノズルの運動を停止することにより、ノズルを任意の位置又は角度で固定して使用することができる。
【０１３５】
また、上述の各実施形態及びその具体例において、往復回動運動の角度範囲又は往復直線運動のストロークを調整するストローク調整手段を設けてもよい。このようなストローク調整手段は、例えば、容積型の駆動部においては、左右の圧力室の少なくとも一方に中子のスライドバーに当接する可変終端を設けることにより実現することができる。また、羽根車型の駆動部においては、歯車間の係合比を選択するギアボックスを設けることにより実現することができる。
【０１３６】
更に、上述の各実施形態及びその具体例において、ノズルの往復運動において往路と復路とで速度を異ならせてもよい。これは、例えば、容積型の駆動部においては、左右の圧力室に供給する水の流路抵抗を異ならせることにより実現することができる。または、一方の圧力室から他方の圧力室又は中子内流路に漏出する水量を左右で異ならせることにより実現することもできる。または、左右の圧力室で中子の受圧面積を異ならせることにより実現することもできる。
【図面の簡単な説明】
【０１３７】
【図１】本発明の第１の実施形態に係るキッチンカウンターを例示する模式的斜視図である。
【図２】第１の実施形態の第１の具体例の駆動部を例示する斜視図である。
【図３】第１の具体例の駆動部を例示する斜視断面図である。
【図４】（ａ）は、第１の具体例に係る駆動部を底面側から見た斜視図であり、（ｂ）はその斜視断面図である。
【図５】第１の具体例に係る駆動部を側方から見た断面図である。
【図６】図５に示すＡ−Ａ’線による断面図である。
【図７】第１の具体例に係る駆動部における主弁及びスライドバーを例示する斜視図である。
【図８】（ａ）乃至（ｃ）は、本具体例の駆動部の動作を説明する模式図である。
【図９】（ａ）乃至（ｄ）は、本具体例における制御手段の動作を説明する模式図である。
【図１０】（ａ）乃至（ｄ）は、第１の実施形態の第２の具体例における制御手段の動作を示す模式図である。
【図１１】本実施形態の第３の具体例に係る駆動部の羽根車室を例示する平面図である。
【図１２】第３の具体例に係る駆動部の歯車室を例示する平面図である。
【図１３】第３の具体例に係る駆動部の羽根車及び歯車を例示する模式的斜視図である。
【図１４】本発明の第２の実施形態に係るキッチン用水栓を例示する模式的斜視図であり、可動水栓を使用する場合を示す。
【図１５】本実施形態に係るキッチン用水栓を例示する模式的斜視図であり、通常水栓を使用する場合を示す。
【図１６】本発明の第３の実施形態に係るキッチン用水栓を例示する模式的斜視図である。
【図１７】本実施形態に係るキッチン用水栓の配管を例示する模式図である。
【図１８】本発明の第４の実施形態に係るキッチン用水栓を例示する模式的斜視図である。
【図１９】第４の実施形態の具体例に係る駆動部の動作メカニズムを説明する模式図である。
【図２０】本具体例に係る駆動部の動作メカニズムを説明するための模式図であり、図１９に続く動作を示す。
【図２１】本具体例に係る駆動部の動作メカニズムを説明するための模式図であり、図２０に続く動作を示す。
【図２２】本具体例に係る駆動部の動作メカニズムを説明するための模式図であり、図２１に続く動作を示す。
【図２３】本具体例に係る駆動部を例示する斜視図である。
【図２４】本具体例に係る駆動部を例示する斜視断面図である。
【図２５】本具体例に係る駆動部を例示する断面図である。
【図２６】図２５に示すＢ−Ｂ’線による断面図である。
【図２７】（ａ）乃至（ｃ）は、本具体例に係る駆動部の往復動作を示す模式図である。
【図２８】本発明の第５の実施形態に係るキッチン用水栓を例示する模式的斜視図である。
【図２９】第５の実施形態の具体例に係る駆動部を例示する斜視断面図である。
【符号の説明】
【０１３８】
１００、３００、４００  駆動部
１０２、３０２  ハウジング
１０３、３０３  ハウジング本体
１０４、１０５、３０４  ハウジング蓋
１１２、１１４、３１２、３１４  入水口
１１６、１１８、３１６、３１８  圧力室
１２０、３２０  中子
１２１、３２１  中子本体
１２２、３２２  中子蓋
１２４、３２４  中子内流路
１２６、１２７、３２６、３８４  シール
１３２、１３４、３３２、３３４  導入口
１４２、１４４、３４２、３４４  主弁
１４３  リブ
１４６、１４８、３４６、３４８  スライドバー
１４９  連結棒
１６０、３６０  板ばね
１７０、１７４  磁石
１８０、３８０  吐水筒体
１８２、３８２  吐水流路
２００  駆動部
２０１  ハウジング
２０１ａ  底板
２０１ｂ  側板
２０２  羽根車室
２０３  歯車室
２０４  中蓋
２０５  開口部
２０６  入水管
２０７  入水流路
２１１  羽根車
２１２、２１６、２１８、２２３、２２５、２２８  軸
２１３、２１４、２１５、２１７、２１９、２２１、２２２、２２４、２２６、２２７  歯車
２２９  吐水流路
５００、５０１、５０２、５０４、５０５  キッチンカウンター
５０３  作業スペース
６００、６１０、６２０、６３０  シンク
６０１  排水口
６０２、６１１、６２１  張出部
６１２  ターンテーブル
７００、７４０、７７０  キッチン用水栓
７１０  通常水栓
７２０、７５０、７６０  可動水栓
７２１、７５１、７６１  駆動部
７２２  出水部
７２３  連結管
７２４、７５２、７６２  ノズル
７２５  出水孔
７２６  スパウト
７２６  出水口
７３０  バルブ
７３１、７５４、７６４  開閉バルブ
７３２  バイパス管
７３３  バイパスバルブ
７５２ａ  短辺部分
７５２ｂ  長辺部分
７５３ａ、７５３ｂ  支持部
８００  上水道
【図１】
2007239230.tif 000003
【図２】
2007239230.tif 000004
【図３】
2007239230.tif 000005
【図４】
2007239230.tif 000006
【図５】
2007239230.tif 000007
【図６】
2007239230.tif 000008
【図７】
2007239230.tif 000009
【図８】
2007239230.tif 000010
【図９】
2007239230.tif 000011
【図１０】
2007239230.tif 000012
【図１１】
2007239230.tif 000013
【図１２】
2007239230.tif 000014
【図１３】
2007239230.tif 000015
【図１４】
2007239230.tif 000016
【図１５】
2007239230.tif 000017
【図１６】
2007239230.tif 000018
【図１７】
2007239230.tif 000019
【図１８】
2007239230.tif 000020
【図１９】
2007239230.tif 000021
【図２０】
2007239230.tif 000022
【図２１】
2007239230.tif 000023
【図２２】
2007239230.tif 000024
【図２３】
2007239230.tif 000025
【図２４】
2007239230.tif 000026
【図２５】
2007239230.tif 000027
【図２６】
2007239230.tif 000028
【図２７】
2007239230.tif 000029
【図２８】
2007239230.tif 000030
【図２９】
2007239230.tif 000031